(57)【要約】【課題】デジタルラジオ放送において、既に再生された楽曲の再生履歴を表示し、前記再生履歴の中からユーザが希望する楽曲をボタン押下などの操作によって選択することにより、楽曲が放送された後であっても楽曲識別情報を内部メモリに保存させることができるように支援する。【解決手段】制御部１４は、ラジオ受信部１１ａが受信した楽曲の楽曲識別情報を、内部メモリ１９にある再生履歴管理用テーブル２０に保存し、操作部１８の指示があった場合には表示部１７に再生履歴管理用テーブル２０に保存された楽曲識別情報のうち必要な情報を表示させ、さらに表示された再生履歴の中から操作部１８によりユーザが希望する楽曲が選択された場合にはそれに該当する楽曲識別情報をタグ管理用テーブル２１に保存する。【選択図】図１
2012169018.tif 000002
【特許請求の範囲】
【請求項１】
放送中のオーディオ信号が表す楽曲を識別する楽曲識別情報を含むラジオ放送を受信するラジオ受信部と、
前記放送中の前記楽曲の楽曲識別情報、又は放送された楽曲の再生履歴に含まれる前記楽曲識別情報の取得の指示を行う操作部と、
前記操作部の指示によって前記再生履歴の表示を制御する制御部と、
再生された楽曲の前記楽曲識別情報を保存する再生履歴管理用テーブル、再生中又は前記再生履歴から前記操作部の指示によって選択された楽曲の前記楽曲識別情報を保存するタグ管理用テーブルを含む内部メモリと、
前記再生履歴管理用テーブルの内容を表示する表示部と、を備え、
前記制御部は、既に再生された楽曲の前記再生履歴を前記表示部に表示し、更に、前記操作部の指示により前記再生履歴の中から選択された前記楽曲識別情報を前記タグ管理用テーブルに保存することを特徴とするオーディオ装置。
【請求項２】
請求項１に記載のオーディオ装置であって、
前記表示部に表示される前記再生履歴管理用テーブルの内容は、前記再生履歴管理用テーブルに保存された前記楽曲識別情報から既に再生された楽曲のリストとして表示するために必要な少なくとも再生日時、アーティスト名、楽曲名、アルバム名を含む情報であることを特徴とするオーディオ装置。
【請求項３】
請求項１又は２に記載のオーディオ装置であって、
ポータブル型の記憶装置、オーディオ再生装置およびリムーバブルメディアの少なくともいずれか一つの外部機器と接続可能な外部インターフェースと、を更に備え、
前記制御部は、前記タグ管理用テーブルに保存された前記楽曲識別情報を、前記外部インターフェースを介して、前記外部機器のうちいずれか一つに保存させることを特徴とするオーディオ装置。
【請求項４】
請求項３に記載のオーディオ装置であって、
前記制御部は、前記操作部によって前記楽曲識別情報の取得が指示された場合にのみ再生中又は前記再生履歴から選択された楽曲の前記楽曲識別情報を前記タグ管理用テーブルに保存し、前記再生履歴管理用テーブルに保存された前記楽曲識別情報のうち前記表示部に表示する情報を前記表示部に表示し、前記タグ管理用テーブルに保存された前記楽曲識別情報を前記外部機器へ転送し、転送後に前記タグ管理用テーブルに保存された前記楽曲識別情報を消去させることを特徴とするオーディオ装置。
【発明の詳細な説明】
【技術分野】
【０００１】
本発明は、デジタルラジオ放送を受信可能なオーディオ装置において、既に放送された楽曲の再生履歴を閲覧することを可能としたオーディオ装置に関する。
【背景技術】
【０００２】
特許文献１に示す従来のオーディオ装置は、デジタルラジオ放送やＦＭ多重放送を受信している際、利用者が操作部を操作すると、オーディオデータと共に送信されている曲付加情報データを取り込み、ダウンロード指定用メモリに記録する。利用者の再度の指示によりダウンロード指定部は、ダウンロード指定用メモリに記録された曲付加情報データをオーディオ配信センターに送信する。オーディオ配信センターは、オーディオデータベースから指定された曲を検索し、オーディオ装置側に送信する。オーディオ装置は、送信された曲データをオーディオ記録媒体に記録する。
【先行技術文献】
【特許文献】
【０００３】
【特許文献１】特開２００２−３１９２２６号公報
【発明の概要】
【発明が解決しようとする課題】
【０００４】
しかしながら、特許文献１に示した従来のオーディオ装置は曲付加情報データを保存させるためには、その曲付加情報データに対応した楽曲の再生中に、ユーザがボタンを押下するなどの操作を行う必要があった。このため、例えばオーディオ装置が車載用装置であれば、ユーザが運転中などで操作を行うことが困難であった。また、例えばオーディオ装置が家庭用装置であれば、ユーザが押し忘れたり又は聴き逃しなどを起こしたりするという問題があった。
【０００５】
本発明は、従来の問題を解決するためになされたもので、ユーザは放送において再生された楽曲の再生履歴を閲覧し、更には楽曲が再生された後でもその再生履歴の中から希望する楽曲を選択することによって、選択された楽曲の楽曲識別情報を内部メモリに保存するオーディオ装置を提供することを目的とする。
【課題を解決するための手段】
【０００６】
上記目的を達成するために本発明は、放送中のオーディオ信号が表す楽曲を識別する楽曲識別情報を含むラジオ放送を受信するラジオ受信部と、前記放送中の前記楽曲の楽曲識別情報、又は放送された楽曲の再生履歴に含まれる前記楽曲識別情報の取得の指示を行う操作部と、前記操作部の指示によって前記再生履歴の表示を制御する制御部と、再生された楽曲の前記楽曲識別情報を保存する再生履歴管理用テーブル、再生中又は前記再生履歴から前記操作部の指示によって選択された楽曲の前記楽曲識別情報を保存するタグ管理用テーブルを含む内部メモリと、前記再生履歴管理用テーブルの内容を表示する表示部と、を備え、前記制御部は、既に再生された楽曲の前記再生履歴を前記表示部に表示し、更に、前記操作部の指示により前記再生履歴の中から選択された前記楽曲識別情報を前記タグ管理用テーブルに保存する。
【発明の効果】
【０００７】
本発明によれば、ユーザはデジタルラジオ放送において既に再生された楽曲の再生履歴を閲覧することができ、更に楽曲が再生された後であってもその再生履歴の中から希望する楽曲の楽興識別情報を保存させることができる。
【図面の簡単な説明】
【０００８】
【図１】本発明の実施の形態におけるオーディオ装置の内部構成を示すブロック図
【図２】本発明の実施の形態におけるオーディオ装置の内部メモリに保存される再生履歴管理用テーブルの一例を示す説明図
【図３】本発明の実施の形態におけるオーディオ装置の内部メモリに保存されるタグ管理用テーブルの一例を示す説明図
【図４】本発明の実施の形態におけるオーディオ装置の再生履歴管理用テーブルの生成処理のフローチャート
【図５】本発明の実施の形態におけるオーディオ装置のタグ管理用テーブルの生成処理のフローチャート
【図６】本発明の実施の形態におけるオーディオ装置の表示部の説明図の一例
【図７】本発明の実施の形態におけるオーディオ装置の表示部の再生履歴表示図の一例
【図８】本発明の実施の形態におけるオーディオ装置の表示部への表示処理のフローチャート
【図９】本発明の実施の形態におけるオーディオ装置の選択情報保存処理のフローチャート
【発明を実施するための形態】
【０００９】
以下に、本発明の実施形態について図面を参照しながら説明する。
【００１０】
本発明に係るオーディオ装置は、デジタルラジオ放送を受信可能なラジオ受信部を備え、既に放送されたデジタルラジオ放送の放送中に再生された楽曲の再生履歴を閲覧することを可能としたものである。更に、オーディオ装置は、ユーザが再生履歴の中から希望する楽曲を選択操作すると、楽曲が再生された後でも選択された楽曲の楽曲識別情報（タグ情報）を内部メモリに保存させることが可能となる。
【００１１】
更に、オーディオ装置がポータブルオーディオなど外部メモリと接続されている場合には、オーディオ装置は、当該外部メモリに楽曲識別情報を転送し、楽曲識別情報を外部メモリに保存させることが可能となる。
【００１２】
これにより、外部メモリをＰＣ（Personal Computer）などインターネット接続することができる機器に接続して、外部メモリの楽曲識別情報を利用して所望の楽曲をインターネット経由で取得（ＰＣのハードディスクなどに保存）することができる。
【００１３】
図１は、本発明の実施の形態におけるオーディオ装置１の内部構成を示すブロック図である。
【００１４】
オーディオ装置１は、受信用アンテナＡＮＴが接続されたラジオ受信部１１ａ、復調分離部１１ｂ、リムーバブルディスクドライブ１２、外部インターフェース１３、制御部１４、オーディオ処理部１５、スピーカ１６、表示部１７、操作部１８、及び内部メモリ１９を備えている。
【００１５】
また、内部メモリ１９は、再生履歴管理用テーブル２０、タグ管理用テーブル２１、及び一時保存テーブル２２を含む様に保存している。
【００１６】
オーディオ装置１は、外部インターフェース１３を介して、半導体メモリカードやＵＳＢメモリ装置などのポータブル記憶装置２や、ポータブルオーディオプレイヤ３などの外部機器を選択的に接続することができる。
【００１７】
次に、オーディオ装置１に接続されるポータブル記憶装置２及びポータブルオーディオプレイヤ３について説明する。
【００１８】
ポータブル記憶装置２は、半導体メモリカード、又はＵＳＢ（universal serial bus）メモリ装置などで構成され、外部インターフェース１３を介して、オーディオ装置１と接続される。ポータブル記憶装置２は、オーディオ装置１で再生可能な楽曲のオーディオファイルを記憶している。また、ポータブル記憶装置２は、オーディオファイルに保存されたオーディオデータの楽曲識別情報を記憶している。
【００１９】
ポータブルオーディオプレイヤ３は、ポータブルオーディオプレイヤ３に内蔵したＨＤＤ（hard disk drive）や、ＲＡＭなどの半導体メモリに楽曲のオーディオファイルを記録し、記録したオーディオファイルの再生処理を行う携帯可能な装置である。また、ポータブルオーディオプレイヤ３は、オーディオファイルに保存されたオーディオデータの楽曲識別情報を記憶している。
【００２０】
また、ポータブルオーディオプレイヤ３は、単独使用時には、オーディオファイルの再生処理の際、当該オーディオファイルに保存されたオーディオデータが表す音声を、ポータブルオーディオプレイヤ３に備えられている音声出力端子に出力する。
【００２１】
ポータブルオーディオプレイヤ３は、オーディオ装置１との接続時には、オーディオファイルの再生処理の際、外部インターフェース１３を介して、当該オーディオファイルのオーディオデータをオーディオ装置１へ出力する。
【００２２】
ポータブル記憶装置２及びポータブルオーディオプレイヤ３は、外部インターフェース１３を介してオーディオ装置１に接続された際、後述するタグ管理用テーブル２１に保存された楽曲識別情報をオーディオ装置１から取得して保存する。
【００２３】
次に、オーディオ装置１の内部構成について説明する。
【００２４】
ラジオ受信部１１ａは、受信用アンテナＡＮＴを介して、楽曲識別情報を含むデジタルラジオ放送を受信する。ここで、楽曲識別情報とは、デジタルラジオ放送で放送（再生）中の楽曲を特定するためのものである。
【００２５】
本発明の実施の形態においては、各楽曲の楽曲識別情報には、少なくとも楽曲のアルバム名、タイトル名（楽曲名）、アーティスト名、楽曲ＩＤ、再生日時などを含む情報が用いられる。
【００２６】
ラジオ受信部１１ａは、ユーザが操作部１８を介して選局（選択）した受信チャンネルのデジタルラジオ放送の放送信号を受信する。この受信された放送信号は、復調分離部１１ｂに入力される。
【００２７】
復調分離部１１ｂは、ラジオ受信部１１ａにより出力された放送信号を入力する。復調分離部１１ｂは、入力された放送信号を復調する。復調分離部１１ｂは、復調により、入力された放送信号から、楽曲のオーディオデータと楽曲識別情報とに分離する。復調分離部１１ｂは、オーディオデータ及び楽曲識別情報をそれぞれ制御部１４に出力する。
【００２８】
リムーバブルディスクドライブ１２は、ＣＤ（compact disk）やＤＶＤ（digital versatile disk）を再生可能な装置である。リムーバブルディスクドライブ１２に例えばＣＤが挿入された場合には、制御部１４は、挿入されたＣＤに記録されたオーディオファイルを読み出し、オーディオ処理部１５及びスピーカ１６を介して、音声出力させる。
【００２９】
制御部１４は、オーディオ装置１に内蔵されるＣＰＵ（central processing unit）、ＲＯＭ（read only memory）、ＲＡＭ（random access memory）などで構成され、ＲＯＭに記憶されたプログラムに従って、オーディオ装置１の各部の動作を制御する。
【００３０】
例えば、制御部１４は、ユーザの操作部１８の操作によってオーディオソースとしてデジタルラジオ放送が設定されたときには、オーディオ装置１で放送（再生）可能な放送局のうち操作部１８のユーザ操作に応じて、ラジオ受信部１１ａが受信可能な受信チャンネルを設定する。
【００３１】
なお、オーディオソースに関する情報は、内部メモリ１９の一時保存テーブル２２に設定されている。具体的には、ユーザが操作部１８を用いてオーディオソースをラジオ放送に設定するための操作を行った場合、制御部１４は、当該操作に応じて、オーディオソースをデジタルラジオ放送とする旨の情報を一時保存テーブル２２に書き込む。
【００３２】
また、ユーザが操作部１８を用いてオーディオソースをＣＤに設定するための操作を行った場合、制御部１４は、当該操作に応じて、オーディオソースをＣＤとする旨の情報を一時保存テーブル２２に書き込む。
【００３３】
また、制御部１４は、オーディオ処理部１５に、復調分離部１１ｂが出力したオーディオデータが表す音声をスピーカ１６に出力させる。
【００３４】
また、操作部１８をユーザが操作することによって外部インターフェース１３に接続されたポータブル記憶装置２や、リムーバブルディスクドライブ１２に装着されたＣＤやＤＶＤに記録されているオーディオファイルの再生が指示されたとする。この場合、制御部１４は、再生が指示されたオーディオファイルのオーディオデータを読み出して、オーディオ処理部１５に出力すると共に、オーディオ処理部１５に、当該出力したオーディオデータが表す音声をスピーカ１６から出力させる。
【００３５】
更に、制御部１４は、ユーザが操作部１８を操作することによって外部インターフェース１３に接続されたポータブルオーディオプレイヤ３の再生を指示された場合、再生が指示されたオーディオファイルを、ポータブルオーディオプレイヤ３から取得する。制御部１４は、オーディオ処理部１５に、ポータブルオーディオプレイヤ３から取得したオーディオファイルに保存されたオーディオデータが表す音声をスピーカ１６に出力させる。
【００３６】
オーディオ処理部１５は、制御部１４により出力されたオーディオファイルを入力する。オーディオ処理部１５は、入力されたオーディオファイルに保存されたオーディオデータが表す音声（楽曲）のレベルを増幅してスピーカ１６に出力する処理を行う。
【００３７】
スピーカ１６は、オーディオ処理部１５により増幅されたオーディオデータを出力する。
【００３８】
表示部１７は、例えばオーディオ装置１のＬＣＤ（liquid crystal display）により構成され、制御部１４の制御の下で、デジタルラジオ放送の受信が可能な放送局、又は、楽曲識別情報などを表示する。
【００３９】
操作部１８は、例えばオーディオ装置１の前面に設けられ、各種のボタン、方向キー、テンキー、若しくは表示部１７の上に配置されたタッチパネル等のハードウェア、又は、表示部１７に当該ボタン、方向キー、テンキー等の機能を有するソフトウェアキーボードが仮想的に表示されたソフトウェアで構成される。
【００４０】
また、操作部１８は、オーディオ装置１とは異なるリモートコントローラ端末からの操作内容を含む操作信号を受信可能な受信部で構成されても良い。
【００４１】
内部メモリ１９には、図１に示す様に、再生履歴管理用テーブル２０、タグ管理用テーブル２１及び一時保存テーブル２２が保存されている。
【００４２】
再生履歴管理用テーブル２０は、ラジオ受信部１１ａがデジタルラジオ放送を受信した際に、復調分離部１１ｂにより分離された楽曲のオーディオデータと楽曲識別情報とのうち、楽曲の楽曲識別情報を保存する。
【００４３】
タグ管理用テーブル２１は、ユーザが操作部１８を操作することによって保存操作の指示があった場合に、放送（再生）中の楽曲、又は再生履歴管理用テーブル２０から選択された楽曲の楽曲識別情報を保存する。
【００４４】
ここで、図２は、本発明の実施の形態におけるオーディオ装置１の内部メモリ１９に保存される再生履歴管理用テーブル２０の一例である。図２に示す様に、楽曲識別情報は、詳細に示すと、番号、アルバム、アーティスト、タイトル、楽曲ＩＤ、放送局、コメント、コマーシャル、時間、放送日付などを含む情報である。
【００４５】
上述した様に、再生履歴管理用テーブル２０は、ラジオ受信部１１ａがデジタルラジオ放送を受信した際に、復調分離部１１ｂにより分離された楽曲のオーディオデータと楽曲識別情報とのうち、楽曲の楽曲識別情報を保存するテーブルである。復調分離部１１ｂが楽曲の楽曲識別情報を制御部１４に出力すると、制御部１４は、この楽曲識別情報を受け取る度に、当該楽曲識別情報を再生履歴管理用テーブル２０に追加的に保存する。
【００４６】
次に、図３は、本発明の実施の形態におけるオーディオ装置１の内部メモリ１９に保存されるタグ管理用テーブル２１の一例である。図３に示す様に、タグ管理用テーブル２１は、楽曲の楽曲識別情報のうち、少なくとも番号、アルバム、アーティスト、タイトル及び楽曲ＩＤを含む。更に、タグ管理用テーブル２１は、操作部１８をユーザが操作することによって楽曲識別情報の取得操作の指示があった場合に、再生中（放送中）の楽曲又は再生履歴管理用テーブル２０から選択された楽曲の楽曲識別情報を保存する。
【００４７】
ここで、ポータブル記憶装置２やポータブルオーディオプレイヤ３などの外部メモリがオーディオ装置１に接続された場合は、制御部１４は、タグ管理用テーブル２１に保存された楽曲識別情報を外部メモリに転送する。更に、このとき、制御部１４は、転送された楽曲識別情報をタグ管理用テーブル２１から削除する。
【００４８】
以上のように構成されたオーディオ装置１について、以下にその処理動作を説明する。先ず、本発明に係るオーディオ装置１における再生履歴管理用テーブル２０の生成処理について説明する。
【００４９】
図４は、本発明の実施の形態におけるオーディオ装置１の再生履歴管理用テーブル２０の生成処理のフローチャートである。なお、オーディオ装置１は、ラジオ受信部１１ａがデジタルラジオ放送を受信し、復調分離部１１ｂが当該デジタルラジオ放送を復調することで新規の楽曲識別情報を制御部１４に出力する度に、図４のフローチャートの各処理を行う。
【００５０】
復調分離部１１ｂが新規の楽曲識別情報を制御部１４に出力した場合、図４において、制御部１４は、まず内部メモリ１９の空き容量の確認を行う（ステップＳ３０１）。内部メモリ１９の空き容量が十分である場合（ステップＳ３０１におけるＹＥＳ）、制御部１４は、内部メモリ１９内に確保された再生履歴管理用テーブル２０に出力された楽曲識別情報を保存する（ステップＳ３０２）。これにより、オーディオ装置１は、図４に示す処理を終了する。
【００５１】
なお、内部メモリ１９の空き容量が十分であるか否かは、例えば、制御部１４が内部メモリ１９が所定の閾値以上の空き容量を有するか否かに応じて判断される。この所定の閾値は、例えば制御部１４の動作において予め規定されている。
【００５２】
内部メモリ１９の空き容量が不十分である場合（ステップＳ３０１におけるＮＯ）、制御部１４は、再生履歴管理用テーブル２０に保存された楽曲識別情報のうち、最も古いものを消去する（ステップＳ３０３）。この処理を新規の楽曲識別情報が保存可能な空き容量を確保するまで行い、確保した後にステップＳ３０２へと移る。
【００５３】
なお、このフローチャートでは空き容量を確保する手段として最も古い楽曲識別情報を消去する（ステップＳ３０３）という例を示した。しかし、オーディオ装置１は、オーディオ装置１の電源を切る度に再生履歴管理用テーブル２０の中身を全消去する、又は、保存する楽曲識別情報の最大数を固定値にして、これを超える場合には古いものから消去していく、などであってもよい。以上の処理によって再生履歴管理用テーブル２０の生成が可能となる。
【００５４】
次に、本発明に係るオーディオ装置１におけるタグ管理用テーブル２１の生成処理について説明する。
【００５５】
図５は、本発明の実施の形態におけるオーディオ装置１のタグ管理用テーブル２１の生成処理のフローチャートである。なお、オーディオ装置１は、操作部１８より楽曲識別情報の取得操作の指示があった場合、再生履歴管理用テーブル２０からユーザが希望する楽曲識別情報が選択された場合、又は、外部メモリが接続された場合の３通りのイベントが発生した場合に、図５のフローチャートの各処理を行う。
【００５６】
操作部１８より楽曲識別情報の取得操作の指示があった場合とは、例えば、オーディオ装置１がデジタルラジオ放送を受信している際、ユーザが表示部１７に表示されている放送中の楽曲の楽曲識別情報を取得するための操作を行った場合である。
【００５７】
再生履歴管理用テーブル２０からユーザが希望する楽曲識別情報が選択された場合とは、例えば、ユーザが表示部１７に表示されている再生履歴管理用テーブル２０の楽曲識別情報を取得するための操作を行った場合である。
【００５８】
図５において、制御部１４は、まず操作部１８からの楽曲識別情報の取得操作の指示の有無を確認する（ステップＳ４０１）。操作部１８より指示があった場合（取得指示フラグ＝ＨＩＧＨ：ステップＳ４０１におけるＹＥＳ）、制御部１４は、デジタルラジオ放送において放送（再生）中の楽曲の楽曲識別情報をタグ管理用テーブル２１に保存し（ステップＳ４０２）する。更に、制御部１４は、ステップＳ４０１でＨＩＧＨとなった取得指示フラグをＬＯＷに変更する（ステップＳ４０３）。これにより、オーディオ装置１は、図５に示す処理を終了する。
【００５９】
取得指示フラグは、放送（再生）中の楽曲の楽曲識別情報を取得するための操作が行われたか否かを示す。取得指示フラグがＨＩＧＨであることは、放送（再生）中の楽曲の楽曲識別情報を取得するための操作が行われたことを示す。反対に、取得指示フラグがＬＯＷであることは、放送（再生）中の楽曲の楽曲識別情報を取得するための操作が行われなかったこと、又は、放送（再生）中の楽曲の楽曲識別情報を取得するための操作が行われた結果、楽曲の楽曲識別情報がタグ管理用テーブル２１に追加されたことを示す。
【００６０】
操作部１８より指示が無い場合は（取得指示フラグ＝ＬＯＷ：ステップＳ４０１におけるＮＯ）、制御部１４は、再生履歴管理用テーブル２０から楽曲識別情報が選択されたか確認を行う（ステップＳ４０４）。再生履歴管理用テーブル２０から楽曲識別情報が選択された場合（履歴選択フラグ＝ＨＩＧＨ：ステップＳ４０４におけるＹＥＳ）、制御部１４は、その楽曲識別情報を再生履歴管理用テーブル２０からコピーしてタグ管理用テーブル２１に保存する（ステップＳ４０５）。更に、制御部１４は、ステップＳ４０４でＨＩＧＨとなった履歴選択フラグをＬＯＷに変更する（ステップＳ４０６）。これにより、オーディオ装置１は、図５に示す処理を終了する。
【００６１】
履歴選択フラグは、再生履歴管理用テーブル２０から楽曲の楽曲識別情報を選択するための操作が行われたか否かを示す。履歴選択フラグがＨＩＧＨであることは、再生履歴管理用テーブル２０から楽曲の楽曲識別情報を選択するための操作が行われたことを示す。反対に、履歴選択フラグがＬＯＷであることは、再生履歴管理用テーブル２０から楽曲の楽曲識別情報を選択するための操作が行われなかったこと、又は、再生履歴管理用テーブル２０から楽曲の楽曲識別情報を選択するための操作が行われた結果、楽曲の楽曲識別情報がタグ管理用テーブル２１に追加されたことを示す。
【００６２】
再生履歴管理用テーブル２０から楽曲識別情報が選択されていない場合は（履歴選択フラグ＝ＬＯＷ：ステップＳ４０４におけるＮＯ）、制御部１４は、外部インターフェース１３にポータブル記憶装置２又はポータブルオーディオプレイヤ３などの外部メモリが接続されているか確認を行う（ステップＳ４０７）。
【００６３】
外部メモリが接続されている場合は（外部メモリ接続フラグ＝ＨＩＧＨ：ステップＳ４０７におけるＹＥＳ）、制御部１４は、タグ管理用テーブル２１に楽曲識別情報が保存されているか確認を行う（ステップＳ４０８）。タグ管理用テーブル２１に楽曲識別情報が保存されている場合（ステップＳ４０８におけるＹＥＳ）、制御部１４は、タグ管理用テーブル２１に保存されている全ての楽曲識別情報を外部メモリに転送する（ステップＳ４０９）。更に、制御部１４は、タグ管理用テーブル２１内の全てのデータを削除し（ステップＳ４１０）、ステップＳ４０７でＨＩＧＨとなった外部メモリ接続フラグをＬＯＷに変更する（ステップＳ４１１）。これにより、オーディオ装置１は、図５に示す処理を終了する。
【００６４】
外部メモリ接続フラグは、外部インターフェース１３にポータブル記憶装置２又はポータブルオーディオプレイヤ３などの外部メモリが接続されているか否かを示す。外部メモリ接続フラグがＨＩＧＨであることは、外部インターフェース１３にポータブル記憶装置２又はポータブルオーディオプレイヤ３などの外部メモリが接続されていることを示す。反対に、外部メモリ接続フラグがＬＯＷであることは、外部インターフェース１３にポータブル記憶装置２又はポータブルオーディオプレイヤ３などの外部メモリが接続されていないこと、又は、タグ管理用テーブル２１から全ての楽曲の各楽曲識別情報が外部メモリに転送された結果、全ての楽曲の各楽曲識別情報がタグ管理用テーブル２１から削除されたことを示す。
【００６５】
外部メモリが外部インターフェース１３に接続されていない場合（外部メモリ接続フラグ＝ＬＯＷ：ステップＳ４０７におけるＮＯ）や、タグ管理用テーブル２１に楽曲識別情報が無い場合（ステップＳ４０８におけるＮＯ）、オーディオ装置１は、何も行わずに処理を終了する。以上の処理フローによってタグ管理用テーブル２１の生成が可能となる。
【００６６】
次に、オーディオ装置１の表示部１７に表示される内容の説明を行う。
【００６７】
図６は、本発明の実施の形態におけるオーディオ装置１の表示部１７の説明図であり、デジタルラジオ放送において放送（再生）中の表示部１７の一例である。表示部１７の表示領域５０１には、ラジオ受信部１１ａによって受信可能なデジタルラジオ放送の放送局が表示されている。
【００６８】
図６に示す様に、表示部１７の表示領域５０１には、複数の放送局がオーディオ装置１で受信可能な放送局として表示されている。また、表示領域５０２には、例えば放送局（Ｓｔａｔｉｏｎ  ＡＡＡ）が選局されている場合に、当該放送局で放送（再生）中の楽曲の楽曲識別情報が表示されている。図６の表示領域５０２に表示される楽曲識別情報は、例えば、アルバム名、アーティスト、タイトル、コメント等を含む。
【００６９】
操作部１８によって放送（再生）された楽曲の再生履歴を表示するための操作に基づく指示があった場合には、図７に示される表示例の様に、表示領域５０２には、デジタルラジオ放送において既に再生された楽曲の楽曲識別情報が表示される。図７の表示領域５０２に表示される楽曲識別情報は、例えば、再生日時、アルバム名、アーティスト名、タイトル名等を含む。
【００７０】
図８は、本発明の実施の形態におけるオーディオ装置１の表示部１７への表示処理を表すフローチャートである。
【００７１】
まず最初に、制御部１４は、ラジオ受信部１１ａによって受信可能なデジタルラジオの放送局を表示部１７の表示領域５０１に表示する（ステップＳ６０１、表示例：図６）。ステップＳ５０１の後、ユーザが操作部１８を操作することによって表示領域５０１に表示された放送局のいずれかが選局（選択）されたとする。
【００７２】
この場合、制御部１４は、選局された放送局のデジタルラジオ放送において放送（再生）中の楽曲の楽曲識別情報を表示部１７の表示領域５０２に表示する（ステップＳ６０２、表示例：図７）。
【００７３】
次に、制御部１４は、操作部１８より放送（再生）された楽曲の再生履歴を表示するための操作の指示があるか否かを確認する（ステップＳ６０３）。
【００７４】
指示があった場合（ステップＳ６０３におけるＹＥＳ）には、制御部１４は、再生履歴管理用テーブル２０に保存されている全ての楽曲識別情報から必要な情報（例えば、再生日時、アーティスト名、タイトル名、アルバム名など）を表示部５０２に表示する（ステップＳ６０４、表示例：図７）。これにより、オーディオ装置１は、図８に示す処理を終了する。
【００７５】
操作部１８より放送（再生）された楽曲の再生履歴を表示するための操作の指示が無かった場合（ステップＳ６０３におけるＮＯ）には、制御部１４は、何も行わずに、図８に示す処理を終了する。
【００７６】
図９は、本発明の実施の形態におけるオーディオ装置１の楽曲識別情報をタグ管理用テーブル２１に保存する処理のフローチャートである。このフローチャートは、表示部１７の表示領域５０２に放送（再生）された楽曲の再生履歴が表示されている状態において、操作部１８の指示により再生履歴の中からユーザが希望する楽曲を選択した場合に行われる。
【００７７】
ここで、表示部１７に表示する楽曲の再生履歴は、選局された放送局で放送された楽曲の再生履歴、或いは過去に受信・再生されたすべての楽曲の再生履歴でもよい。
【００７８】
この処理において、制御部１４は、まず操作部１８の指示により再生履歴の中からユーザが希望する楽曲が選択されたか確認を行う（ステップＳ７０１）。操作部１８により楽曲が選択された場合（ステップＳ７０１におけるＹＥＳ）には、制御部１４は、履歴選択フラグをＨＩＧＨに設定する（Ｓ７０２）。
【００７９】
更に、制御部１４は、ステップＳ７０１で選択された楽曲の楽曲識別情報をタグ管理用テーブル２１にコピーする（ステップＳ７０３）。ステップＳ７０３の後、制御部１４は、履歴選択フラグをＬＯＷに設定する（ステップＳ７０４）。これにより、オーディオ装置１は、図９に示す処理を終了する。
【００８０】
一方、操作部１８により楽曲が選択されていない場合（ステップＳ７０１におけるＮＯ）、制御部１４は、は何も行わずに、図９に示す処理を終了する。これによって、オーディオ装置１は、再生履歴の中から操作部１８の指示により選択された楽曲の楽曲識別情報をタグ管理用テーブル２１に保存することが可能となる。
【００８１】
ここで、操作部１８によって再生履歴の中からユーザが希望する楽曲の選択を行うことについては、表示部５０２に表示された再生履歴の中から個別或いは複数選択してタグ管理用テーブル２１に保存させてもよい。
【００８２】
また、再生履歴の中から希望する楽曲を選択する手段については、ボタンやダイアルなどのハードキーの他、表示部１７に加圧式又は静電式のタッチパネル搭載ディスプレイを使用して表示部５０２よりダイレクトに選択するものであってもよい。
【００８３】
また、表示部５０２に表示された再生履歴において、タグ管理用テーブル２１に保存されたものについてはチェックマークなどの印を付けることによってタグ管理用テーブル２１に保存済みであることを容易に認識できるようにしてもよい。
【００８４】
なお、本実施の形態における外部メモリとして、インターネットに接続することができる、所謂スマートフォンなどの携帯電話端末を用いて、スマートフォンがインターネット経由にて楽曲をダウンロードするように構成されても良い。更に、この場合にダウンロードした楽曲をオーディオ装置内のＨＤＤなどの内部メモリに保存させるようにしても良い。
【００８５】
以上のように本発明の実施の形態のオーディオ装置１によれば、ユーザはデジタルラジオ放送において再生された楽曲の再生履歴を閲覧することができ、更には楽曲が再生された後であってもその再生履歴の中から希望する楽曲の楽曲識別情報を保存させることができるようになる。
【００８６】
更に、ユーザは、運転中にユーザの好みの楽曲が放送された場合に、運転中にはオーディオ装置１を操作する必要もなく、例えば運転後又は駐車若しくは停車した後に、再生履歴管理用テーブル２０からユーザの好みの楽曲の楽曲識別情報を選択する。
【００８７】
これにより、本発明の実施の形態のオーディオ装置１は、選択された楽曲識別情報をタグ管理用テーブル２１に転送する。タグ管理用テーブル２１に保存された楽曲識別情報は、ユーザの好みの楽曲のものであるため、ユーザは、オーディオ装置１で生成されたタグ管理用テーブル２１を活用して、例えばタグ管理用テーブル２１に保存された楽曲識別情報に対応する楽曲を、インターネット網を介して取得することが可能である。
【００８８】
以上説明したように、本発明は、第１の発明として、放送中のオーディオ信号が表す楽曲を識別する楽曲識別情報を含むラジオ放送を受信するラジオ受信部と、前記放送中の前記楽曲の楽曲識別情報、又は放送された楽曲の再生履歴に含まれる前記楽曲識別情報の取得の指示を行う操作部と、前記操作部の指示によって前記再生履歴の表示を制御する制御部と、再生された楽曲の前記楽曲識別情報を保存する再生履歴管理用テーブル、再生中又は前記再生履歴から前記操作部の指示によって選択された楽曲の前記楽曲識別情報を保存するタグ管理用テーブルを含む内部メモリと、前記再生履歴管理用テーブルの内容を表示する表示部と、を備え、前記制御部は、既に再生された楽曲の前記再生履歴を前記表示部に表示し、更に、前記操作部の指示により前記再生履歴の中から選択された前記楽曲識別情報を前記タグ管理用テーブルに保存する。
【００８９】
第１の発明によれば、ユーザは放送において再生された楽曲の再生履歴を閲覧し、更には楽曲が再生された後でもその再生履歴の中から希望する楽曲を選択することによって、選択された楽曲の楽曲識別情報を内部メモリに保存することができる。
【００９０】
また、本発明は、第２の発明として、前記表示部に表示される前記再生履歴管理用テーブルの内容は、前記再生履歴管理用テーブルに保存された前記楽曲識別情報から既に再生された楽曲のリストとして表示するために必要な少なくとも再生日時、アーティスト名、楽曲名、アルバム名を含む情報である。
【００９１】
第２の発明によれば、オーディオ装置は、再生履歴管理用テーブルの内容として、少なくとも、再生日時、アーティスト名、楽曲名、アルバム名を含む情報を楽曲識別情報として表示部に表示する。これにより、ユーザの再生履歴を選択する際の効率を高めることができる。
【００９２】
また、本発明は、第３の発明として、ポータブル型の記憶装置、オーディオ再生装置およびリムーバブルメディアの少なくともいずれか一つの外部機器と接続可能な外部インターフェースと、を更に備え、前記制御部は、前記タグ管理用テーブルに保存された前記楽曲識別情報を、前記外部インターフェースを介して、前記外部機器のうちいずれか一つに保存させる。
【００９３】
第３の発明によれば、オーディオ装置に保存されていて、外部メモリに保存されていない楽曲識別情報を外部メモリに転送することができ、ユーザの当該楽曲識別情報の活用範囲を拡大させることができる。
【００９４】
また、本発明は、第４の発明として、前記内部メモリは、既に再生された楽曲の前記楽曲識別情報が保存される再生履歴管理用テーブルと、前記操作部によって再生中又は前記再生履歴から選択された楽曲の前記楽曲識別情報を保存するタグ管理用テーブルとを有し、前記制御部は、前記操作部によって前記楽曲識別情報の取得が指示された場合にのみ再生中又は前記再生履歴から選択された楽曲の前記楽曲識別情報を前記タグ管理用テーブルに保存し、前記再生履歴管理用テーブルに保存された前記楽曲識別情報のうち前記表示部に表示する情報を前記表示部に表示し、前記タグ管理用テーブルに保存された前記楽曲識別情報を前記外部機器へ転送し、転送後に前記タグ管理用テーブルに保存された前記楽曲識別情報を消去させる。
【００９５】
第４の発明によれば、ユーザの好みの楽曲の楽曲識別情報だけをタグ管理用テーブルに保存可能であり、更に、保存された楽曲識別情報を外部機器に転送した後はタグ管理用テーブルから削除することで、内部メモリの容量の拡大を回避することができる。
【００９６】
以上、添付図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００９７】
本発明のデジタルラジオ受信機を備えたオーディオ装置は、家庭用オーディオ装置の他に車載用オーディオ装置やポータブルタイプのオーディオ装置としても有用である。
【符号の説明】
【００９８】
１  オーディオ装置
２  ポータブル記憶装置
３  ポータブルオーディオプレイヤ
１１ａ  ラジオ受信部
１１ｂ  復調分離部
１２  リムーバブルディスクドライブ
１３  外部インターフェース
１４  制御部
１５  オーディオ処理部
１６  スピーカ
１７  表示部
１８  操作部
１９  内部メモリ
２０  再生履歴管理用テーブル
２１  タグ管理用テーブル
２２  一時保存テーブル
５０１、５０２  表示領域
ＡＮＴ  受信用アンテナ
【図１】
2012169018.tif 000003
【図２】
2012169018.tif 000004
【図３】
2012169018.tif 000005
【図４】
2012169018.tif 000006
【図５】
2012169018.tif 000007
【図６】
2012169018.tif 000008
【図７】
2012169018.tif 000009
【図８】
2012169018.tif 000010
【図９】
2012169018.tif 000011